(57)【特許請求の範囲】
【請求項１】
制御部およびセグメント表示部を有する電子機器に内蔵され、前記電子機器をネットワークに接続させる通信システムＬＳＩであって、
前記制御部から前記セグメント表示部に出力される表示信号の信号線に配線され、前記表示信号を取得する信号取得部と、
所定のプログラムおよびデータを記憶する記憶部と、
通信デバイスまたは通信モジュールに接続されるインタフェース部と、
処理部と
を具備し、
前記所定のプログラムは、当該通信システムＬＳＩのＩＤを保持し、
前記処理部は、前記記憶部に記憶された所定のプログラムを実行することにより、前記信号取得部が取得した前記表示信号を一次解析し、前記一次解析により得られた前記セグメント表示部の各セグメントのＯＮ／ＯＦＦ状態のデータを、前記ＩＤとともに、前記インタフェース部に接続された通信デバイスまたは通信モジュールにより前記ネットワークを介して情報処理装置へ送信して、当該情報処理装置において前記セグメント表示部の各セグメントのＯＮ／ＯＦＦ状態により表現されている数値を取得する二次解析に供することを特徴とする通信システムＬＳＩ。
【請求項２】
前記信号取得部は、ＣＯＭ信号およびＳＥＧ信号からなる前記表示信号を取得することを特徴とする請求項１に記載の通信システムＬＳＩ。
【請求項３】
制御部およびセグメント表示部を有する電子機器に内蔵され、前記電子機器をネットワークに接続させる通信システムＬＳＩであって、
前記制御部から前記セグメント表示部に出力される表示信号の信号線に配線され、前記表示信号を取得する信号取得部と、
所定のプログラムおよびデータを記憶する記憶部と、
前記ネットワークを介して通信を行う通信部と、
処理部と
を具備し、
前記所定のプログラムは、当該通信システムＬＳＩのＩＤを保持し、
前記処理部は、前記記憶部に記憶された所定のプログラムを実行することにより、前記信号取得部が取得した前記表示信号を一次解析し、前記一次解析により得られた前記セグメント表示部の各セグメントのＯＮ／ＯＦＦ状態のデータを、前記ＩＤとともに、前記通信部により前記ネットワークを介して情報処理装置へ送信して、当該情報処理装置において前記セグメント表示部の各セグメントのＯＮ／ＯＦＦ状態により表現されている数値を取得する二次解析に供することを特徴とする通信システムＬＳＩ。
【請求項４】
前記信号取得部は、ＣＯＭ信号およびＳＥＧ信号からなる前記表示信号を取得することを特徴とする請求項３に記載の通信システムＬＳＩ。
【発明の詳細な説明】
【技術分野】
【０００１】
この発明は、例えば電子機器をネットワークに接続させるために使用する通信システムＬＳＩに関する。
【背景技術】
【０００２】
近年、センサ機器、事務機器又は家電機器等の民生用電子機器にネットワーク通信機能を付加し、機器が測定したデータ、使用履歴、動作状態といった情報をネットワークを介してサーバ等に伝送し蓄積することで、これらの情報をユーザの端末から閲覧できるようにすることが各種提案されている。
【０００３】
例えば、特許文献１には、電気製品の情報を家庭内に配線した信号搬送路を通じて集中送信手段に送信し、該集中送信手段から家庭外のモニター手段に送信することによって生活状況を監視する生活モニターシステムに関する技術が提案されている。また、特許文献２には、通信回線を介して接続された家電製品を制御する家庭電化製品のコントローラに関する技術が提案されている。さらに、ハイエンドの民生用電子機器においては機器を直接ネットワークに接続することも一部で行われており、計測機器の分野では機器をパーソナル・コンピュータとケーブル接続してパーソナル・コンピュータ経由でネットワークに接続することも行われている。
【先行技術文献】
【特許文献】
【０００４】
【特許文献１】特許第３８８６２２７号公報
【特許文献２】特開２００４−４０２８５号公報
【発明の概要】
【発明が解決しようとする課題】
【０００５】
しかしながら、電子機器をネットワークに接続して通信できるようにするためには、電子機器に通信デバイスまたは通信モジュールを追加した上で、電子機器の制御プログラムに外部ネットワークと通信するための通信プログラムを追加しなければならず、ハードウェアおよびソフトウェア双方の開発コストにより機器のコストが高くなってしまうという問題がある。
【０００６】
この発明は上記事情に着目してなされたもので、その目的とするところは、電子機器を改変することなくまたコストアップを招くことなくネットワークに接続できるようにし、これにより電子機器の状態や測定結果、表示画面データ等の機器情報を簡単に送信することができるシステムＬＳＩを提供することにある。
【課題を解決するための手段】
【０００７】
上記目的を達成するためにこの発明の第１の観点は、制御部およびセグメント表示部を有する電子機器に内蔵され、この電子機器をネットワークに接続させる通信システムＬＳＩであって、上記制御部から上記セグメント表示部に出力される表示信号の信号線に配線され、上記表示信号を取得する信号取得部と、所定のプログラムおよびデータを記憶する記憶部と、通信デバイスまたは通信モジュールに接続されるインタフェース部と、処理部とを備える。そして、上記所定のプログラムは、当該通信システムＬＳＩのＩＤを保持し、上記処理部は、上記記憶部に記憶された所定のプログラムを実行することにより、上記信号取得部が取得した上記表示信号を一次解析し、この一次解析により得られた上記セグメント表示部の各セグメントのＯＮ／ＯＦＦ状態のデータを、上記ＩＤとともに、上記インタフェース部に接続された通信デバイスまたは通信モジュールにより上記ネットワークを介して情報処理装置へ送信して、当該情報処理装置において上記セグメント表示部の各セグメントのＯＮ／ＯＦＦ状態により表現されている数値を取得する二次解析に供するようにしたものである。
【０００８】
また、この発明の第２の観点は、制御部およびセグメント表示部を有する電子機器に内蔵され、この電子機器をネットワークに接続させる通信システムＬＳＩであって、上記制御部から上記セグメント表示部に出力される表示信号の信号線に配線され、上記表示信号を取得する信号取得部と、所定のプログラムおよびデータを記憶する記憶部と、上記ネットワークを介して通信を行う通信部と、処理部とを備える。そして、上記所定のプログラムは、当該通信システムＬＳＩのＩＤを保持し、上記処理部は、上記記憶部に記憶された所定のプログラムを実行することにより、上記信号取得部が取得した上記表示信号を一次解析し、この一次解析により得られた上記セグメント表示部の各セグメントのＯＮ／ＯＦＦ状態のデータを、上記ＩＤとともに、上記通信部により上記ネットワークを介して情報処理装置へ送信して、当該情報処理装置において上記セグメント表示部の各セグメントのＯＮ／ＯＦＦ状態により表現されている数値を取得する二次解析に供するようにしたものである。
【０００９】
上記この発明の第１および第２の観点において、上記信号取得部は、ＣＯＭ信号およびＳＥＧ信号からなる上記表示信号を取得する構成とする。
【発明の効果】
【００１５】
この発明の第１の観点に係る通信システムＬＳＩによれば、電子機器の制御部からセグメント表示部に出力される表示信号を一次解析し、この一次解析により得られた上記セグメント表示部の各セグメントのＯＮ／ＯＦＦ状態のデータを、上記ＩＤとともに、上記インタフェース部に接続された通信デバイスまたは通信モジュールによりネットワークを介して情報処理装置へ送信して上記セグメント表示部の各セグメントのＯＮ／ＯＦＦ状態により表現されている数値を取得する二次解析に供する処理が、通信システムＬＳＩの記憶部に記憶された所定のプログラムを通信システムＬＳＩの処理部で実行することにより実現される。
【００１６】
したがって、このような通信システムＬＳＩを電子機器に内蔵することにより、電子機器の制御プログラムにネットワーク通信機能を実装することなく、通信デバイスまたは通信モジュールのためのインタフェースまたはデバイスドライバを電子機器側に設けることなく、電子機器をネットワークに接続させることが可能となる。また、通信システムＳＩ上では電子機器の制御部からセグメント表示部に出力される表示信号の一次解析のみが行われ、この一次解析により得られる上記セグメント表示部の各セグメントのＯＮ／ＯＦＦ状態を表すデータと通信システムＬＳＩのＩＤに基づいて、サーバやクラウドコンピュータ等の処理能力の高い情報処理装置上において上記セグメント表示部の各セグメントのＯＮ／ＯＦＦ状態により表現されている数値を取得するための二次解析が行われる。すなわち、セグメント表示信号の解析処理が分散処理される。この結果、電子機器内において生成されるセグメント表示信号により表される数値を効率良く解析することができる。
【００１７】
また、この発明の第２の観点に係る通信システムＬＳＩによれば、ネットワークを介して通信を行う通信部をさらに備えることで、通信デバイスまたは通信モジュールを別途用意することなく、電子機器をネットワークに接続させることが可能となる。
【図面の簡単な説明】
【００２０】
【図１】この発明の一実施形態に係る通信システムＬＳＩの実施例１の構成を示すブロック図である。
【図２】この発明の一実施形態に係る通信システムＬＳＩの実施例２の構成を示すブロック図である。
【図３】この発明の一実施形態に係る通信システムＬＳＩの実施例３の構成を示すブロック図である。
【図４】図１に示した通信システムＬＳＩのメモリに記憶されたプログラムのソフトウェア構成を示すブロック図である。
【図５】通信システムＬＳＩが適用されるバーコードリーダの第１の例を示す機能ブロック図である。
【図６】通信システムＬＳＩを適用したバーコードリーダの第２の例を示す機能ブロック図である。
【図７】図６に示したバーコードリーダについてなされるネットワークシステムの構成図である。
【図８】図７に示したネットワークシステムの動作手順とその内容を示すフローチャートである。
【図９】通信システムＬＳＩを適用したワットメータの機能構成を示すブロック図である。
【図１０】図９に示したワットメータのセグメント表示部の構成を示す図である。
【図１１】図９に示したワットメータについてなされるネットワークシステムの動作手順とその内容を示すフローチャートである。
【発明を実施するための形態】
【００２１】
以下、図面を参照してこの発明に係わる実施形態を説明する。  
［一実施形態］
（実施例１）
図１は、この発明の一実施形態に係る通信システムＬＳＩの実施例１の構成を示すブロック図である。  
この通信システムＬＳＩ１００Ａは、電子機器に内蔵されることで当該電子機器をネットワークに対応させる機能を実現するものであり、ＣＰＵ１０１、サンプリング部１０２、通信インタフェース部１０３、周辺回路１０４、メモリ１０５およびシステムバス１０６を有している。以下、各部について説明する。
【００２２】
ＣＰＵ１０１は中央処理ユニット（Central Processing Unit）であり、後述するメモリ１０５に記憶されたプログラムおよびデータを読み出して、所定の演算処理を行うことにより通信システムＬＳＩ１００の各種機能を実現する部である。
【００２３】
サンプリング部１０２は、電子機器が出力する電気信号から電子機器の状態または前記電子機器の機能した結果と対応するデータを抽出する機能を有する。このためサンプリング部１０２は、電子機器が出力する電気信号の種類とフォーマットに応じて、アナログ回路、ロジックＩＣまたはこれらの組み合わせにより構成することができる。
【００２４】
サンプリング部１０２は、例えば電子機器の制御部が出力部に対して発する電気信号からデータを抽出する構成とすることができる。電子機器の出力部には、電子機器の状態または電子機器の機能した結果が表示されることが通常であるから、制御部が出力部に対して発する電気信号からこれらに対応したデータを抽出することが可能である。
【００２５】
この場合に、出力部がセグメント液晶表示器である場合には、電気信号を解析して各セグメント液晶のＯＮ／ＯＦＦ状態を取得するように構成することができる。出力部がＬＥＤ表示器である場合も同様である。また、出力部がビットマップ液晶表示器である場合には、電気信号を解析して液晶表示器に表示している画面の情報を取得するように構成することができる。
【００２６】
通信インタフェース部１０３は、３Ｇモデム、ＰＨＳモデム、ＷｉＦｉ（登録商標）アダプタ、Ｂｌｕｅｔｏｏｔｈ（登録商標）アダプタ等の通信デバイスを接続するためのインタフェースである。  
周辺回路１０４は、タイマ、クロック、割り込み回路、ＤＭＡ、ＤＡ／ＡＤコンバータ等の各種機能を提供する回路を含んでいる。
【００２７】
メモリ１０５は、ＣＰＵ１０１で実行するプログラムおよび読み出されるデータを格納した不揮発性かつ書き換え不可能なＲＯＭ１０５１と、同じく不揮発性で書き換え可能なＦｌａｓｈＲＯＭ１０５３と、ＣＰＵ１０１がプログラム実行時に使用する揮発性のＲＡＭ１０５２とから構成されている。ＲＯＭ１０５１およびＦｌａｓｈＲＯＭ１０５３に格納されたプログラムの詳細については後述する。システムバス１０６は、上記各部を結んで互いに通信する機能を提供する部である。
【００２８】
以上のように構成された通信システムＬＳＩ１００Ａは、インタフェース部１０３に通信デバイスを接続された状態で電子機器に内蔵され、サンプリング部１０２が所定の電気信号を取得できるように配線した状態で、メモリ１０５に格納されたプログラムをＣＰＵ１０１で実行することにより、後述する動作を実行するものである。
【００２９】
（実施例２）
図２は、この発明の一実施形態に係る通信システムＬＳＩの実施例２の構成を示すブロック図である。同図において、図１と同一部分には同一符号を付して詳しい説明は省略する。  
この実施例２に係る通信システムＬＳＩ１００Ｂは、図１に示した通信システムＬＳＩ１００Ａにおける通信インタフェース部１０３に代えて、無線通信モデムである通信部１１０をＬＳＩ上に実装したものである。  
このような通信システムＬＳＩ１００Ｂは、そのまま電子機器に内蔵され、サンプリング部１０２が所定の電気信号を取得できるように配線した状態で、メモリ１０５に格納されたプログラムをＣＰＵ１０１で実行することにより、後述する動作を実行する。
【００３０】
（実施例３）
図３は、この発明の一実施形態に係る通信システムＬＳＩの実施例３の構成を示すブロック図である。同図において、図１及び図２と同一部分には同一符号を付して詳しい説明は省略する。  
この実施例３に係る通信システムＬＳＩ１００Ｃは、図１及び図２に示したサンプリング部１０２に代えて、入力インタフェース部１１１を設けたものである。入力インタフェース部１１１は、電子機器からＵＡＲＴ、Ｉ３Ｃ、ＳＰＩ形式等のシリアル方式または独自方式で出力されたデータを受けるインタフェースである。
【００３１】
この通信システムＬＳＩ１００Ｃにおいては、入力インタフェース部１１１で受けたデータは所定のプログラムを実行するＣＰＵ１０１によって一次解析される。すなわち、データ出力の方式に応じた方法により、電子機器の状態または電子機器の機能した結果を示すデータが電子機器の出力データから抽出される。抽出されたデータは、前述の通信システムＬＳＩ１００Ｂと同様に通信部１０３から送信され、後述するようにサーバまたはクラウドコンピュータ上で二次解析されて電子機器の状態または電子機器の機能した結果が取得される。
【００３２】
このような通信システムＬＳＩ１００Ｃは、そのまま電子機器に内蔵され、電子機器に既存するデータ出力部または新たに設けられたデータ出力部からの出力が入力インタフェース部１１１に入力されるように配線した状態で、メモリ１０５に格納されたプログラムをＣＰＵ１０１で実行することにより、後述する動作を実行する。
【００３３】
図４は、図１に示した通信システムＬＳＩ１００Ａのメモリ１０５に格納されたプログラムのソフトウェアブロック図である。このプログラム１５０は、ＲＴＯＳ（Real-Time Operating System）１５１と、インタフェースドライバ１５２と、モデム制御１５３と、プロトコルスタック１５４と、ネットワーククライアント１５５と、メイン制御１５６とを有している。
【００３４】
ＲＴＯＳ１０１は、通信システムＬＳＩ１００Ａにコンピュータとしての基本的な機能を提供すると共に、処理時間が一定範囲内となることが予測可能なソフトウェア実行環境を提供する。インタフェースドライバ１５２は、通信インタフェース部１０３を利用するための機能を提供する。モデム制御プログラム１３３は、通信インタフェース部１０３に接続された無線モデムを制御して通信するための機能を提供する。プロトコルスタック１５４は、ＰＰＰ（Point-to-Point Protocol）、ＩＰ（Internet Protocol）、ＴＣＰ（Transmission Control Protocol）、ＵＤＰ（User Datagram Protocol）、Ｓｏｃｋｅｔ及びＤＮＳといった各種通信プロトコルのうち通信システムＬＳＩ１００Ａが必要なモジュールから構成される。ネットワーククライアント１５５は、メイン制御プログラム１５０にプロトコルスタック１５４およびモデム制御プログラム１５３を利用してネットワーク通信を行う機能を提供するものである。そしてメイン制御プログラム１５６は、通信システムＬＳＩ１００Ａを制御して後述する動作を実現するためのソフトウェアであり、通信システムＬＳＩ１００ＡのＩＤ番号、データを送信するサーバやクラウドのアドレス情報および認証情報等が保持されている。
【００３５】
ここで、図２に示した通信システムＬＳＩ１００Ｂのプログラムについては、インタフェースドライバ１５２ではなく、通信部１１０の実装に応じたソフトウェアを用いればよい。さらに図３に示した通信システムＬＳＩ１００Ｃの場合は、それらに加えて電子機器が出力したデータから電子機器の状態または電子機器の動作結果を示すデータを抽出するための機能をメイン制御プログラムに実装する必要がある。
【００３６】
以上詳細に説明したように、図１に示した通信システムＬＳＩ１００Ａは、通信インタフェース部１０３にモデムを接続することにより、また図２に示した通信システム１００Ｂはそのままの状態で、電子機器が発する電気信号を取得して電子機器の状態または電子機器の機能した結果に対応したデータを抽出し、ネットワークに送信する機能を実現する。したがって、電子機器をネットワーク対応させる際に通信システムＬＳＩ１００Ａまたは１００Ｂ以外のハードウェアおよびソフトウェアは必要がなく、既存の電子機器をそのままネットワークに接続させることができる。
【００３７】
これに対し、図３に示した通信システムＬＳＩ１００Ｃでは、電子機器にデータ出力機能を追加するという最低限の開発を行う必要はあるが、それ以上の開発コストは必要なく、最小限のコストで電子機器をネットワークに対応させることができる。
【００３８】
以下、この発明の通信システムＬＳＩを適用することにより電子機器をネットワークに対応させた例を、ネットワーク対応した電子機器を利用した情報システムの例とともに説明する。
【００３９】
［適用例１］
図５は、バーコードリーダ２００のブロック図である。このバーコードリーダ２００は、筐体に設けられた読取開口部２０１と、前記読取開口部２０１を介してバーコード２１０を読み取るイメージセンサ２０２と、各部の動作を制御する制御部２０３と、認識結果等を表示する表示部２０４と、読み取ったバーコード２１０をデコードするデコード部２０５と、ユーザの操作を受け付ける操作部２０６と、認識結果をＰＣ等にシリアル出力するシリアル出力部２０７とを有している。
【００４０】
図６は、図５に示したバーコードリーダ２００のシリアル出力２０７に代えて通信システムＬＳＩ１００Ｃを設けることによりネットワークに対応したバーコードリーダ２００Ｂのブロック図である。このような構成とするにあたり、通信システムＬＳＩ１００Ｃは、制御部２０３のシリアル出力の方式とデータ形式に対応するようにメイン制御１５６が調整されており、制御部２０３のシリアル出力が通信システムＬＳＩ１００Ｃの入力インタフェース部１１１に入力されるように配線がなされている。
【００４１】
図７は、このようなバーコードリーダ２００Ｂが認識した結果をネットワーク上に蓄積し、閲覧できるようにしたシステム３００の概要図である。システム３００は、主として、この発明の一実施形態に係る通信システムＬＳＩを搭載したバーコードリーダ等の電子機器と、通信端末３１５と、基地局３１１，３１２、ならびにゲートウェイ３１３を有する無線ネットワーク３１０と、無線ネットワーク３１０とゲートウェイ３１３を介して接続されたインターネット３２０と、それぞれインターネットに接続して構成されたクラウドネットワーク３２１およびサービスサーバ３２６とを有している。
【００４２】
また、クラウドネットワーク３２１は、クラウドコンピュータ構成するもので、通信システムＬＳＩから送信されたデータを受け付けるデータ受付部３２２と、受け付けたデータから電子機器の状態または電子機器の動作結果を求めてデータストア部３２５に保存するデータ二次解析部３２３と、外部からのアクセスに応じて所定のデータをデータアクセス部３２４とを有している。
【００４３】
図８は、図７に示したシステム３００において、バーコードリーダ２００Ｂで認識したコードを通信システムＬＳＩ１００Ｃによりクラウドネットワーク３２１へ送信し、クラウドネットワーク３２１上で認識された物品の情報を蓄積する動作の手順と処理内容を示すフローチャートである。
【００４４】
この動作は、まず、ユーザがバーコードリーダ２００Ｂの操作部２０６を操作してバーコード読み取りを指示し（ステップＳＴ１０１）、操作部２０６は制御部２０３に対してユーザ操作に応じた信号を発する。この信号に応じて制御部２０３はイメージセンサ２０２を制御して読取開口部２０１を介してバーコード２１０を読み取る（ステップＳＴ１０２）。続いて制御部２０３は読み取ったバーコード２１０のイメージをデコード部２０５に渡して、読み取ったバーコードをデコード部２０５でデコードし（ステップＳＴ１０３）、デコードした結果を通信システムＬＳＩ１００Ｃにシリアル出力する（ステップＳＴ１０４）。
【００４５】
ステップＳＴ１０４でなされたシリアル出力は通信システムＬＳＩ１００Ｃの入力インタフェース部１１１で受け付けられ（ステップＳＴ１０５）、通信システムＬＳＩ１００ＣのＣＰＵ１０１が所定のプログラムを実行することにより受け付けたデータからデコード結果のコードを取り出す（ステップＳＴ１０６）。すなわち、バーコードリーダ２００Ｂに内蔵された通信システムＬＳＩ１００Ｃには、バーコードリーダ２００Ｂがシリアル出力するデータの出力方式およびデータフォーマットに基づいて、該データからデコード結果のコードを取り出すためのプログラムが実装されている。ステップＳＴ１０６に続いて、通信システムＬＳＩ１００ＣのＣＰＵ１０１は所定のプログラムを実行することにより、取り出したコードを自己のＩＤ（通信システムＬＳＩ１００Ｃのメイン制御１５６に含まれている）とともにクラウドネットワーク３２１に送信する（ステップＳＴ１０７）。
【００４６】
ステップＳＴ１０７で通信システムＬＳＩ１００Ｃから送信されたコードおよびＩＤは、クラウドネットワーク３２１上に構築されたデータ受付部３２２によって受信される（ステップＳＴ１０８）。データ受付部３２２によって受信されたデータは、二次解析部３２３に引き渡されてコードの指す商品名を特定する（ステップＳＴ１０９）。
【００４７】
すなわち、二次解析部３２２は、ＪＡＮコードのように商品識別に利用されるコードと該コードで識別される商品との対応関係を内部的または外部的に認識可能に構成されており、これによりコードの情報からコードの指す商品名を特定することが可能となっている。ステップＳＴ１０９で商品名を特定すると、データストア部３２４に特定された商品名を通信システムＬＳＩ１００ＣのＩＤとともに保存する（ステップＳＴ１１０）。
【００４８】
以上のような動作によりバーコードリーダ２００Ｂの機能により認識した結果は、クラウドネットワーク３２１上のデータストア部３２５に蓄積される。さらに、クラウドネットワーク３２１上には、クラウドネットワーク３２１の外からデータストア部３２５の内容にアクセスするためのデータアクセス部３２４が設けられている。
【００４９】
例えばスマートホン３１５からサービスサーバ３２６に対してバーコードリーダ２００Ｂに内蔵された通信システムＬＳＩ１００ＣのＩＤを指定することにより、サービスサーバ３２６はデータアクセス部３２４に対して当該ＩＤに係るバーコードリーダ２００Ｂの認識した商品名の履歴を要求し、当該履歴の情報を取得してスマートホン３１５の閲覧に供することができる。
【００５０】
［適用例２］
図９は、この発明の通信システムＬＳＩ１００Ｂを適用することによりネットワークに対応したワットメータ３５０のブロック図である。このワットメータ３５０は、家庭用コンセントに差し込まれるプラグ部３５１と、電子機器の電源プラグが差し込まれるコンセント部３５２と、それぞれプラグ部３５１およびコンセント部３５２を接続する電力供給経路３５３と、電力供給経路３５３に設けられた抵抗３５４と、抵抗３５４両端の電圧を検出する電流検出部３５５と、電力供給経路３５３間の電圧を検出する電圧検出部３５６と、電流検出部３５５および電圧検出部３５６の出力を受けてセグメント表示部３５８に表示信号を出力する制御部３５７と、制御部３５７からの表示信号に応じて表示を行うセグメント表示部３５８と、制御部３５７からセグメント表示部３５８に発された表示信号をサンプリング部１０２で取得できるように配線された通信システムＬＳＩ１００Ｂとから構成されている。  
図１０はセグメント表示部３５８の表示面を示す図面であり、７セグ表示で４桁の数字および小数点が表示されるように構成されている。
【００５１】
以上のように構成されたワットメータ３５０は、プラグ部３５１を家庭用コンセントに差し込んだ状態で、電子機器の電源プラグ３５２をコンセント部３５２に差し込むことにより、当該電子機器に電力を供給しつつその電流量および電圧量を検出して消費電力を求め、セグメント表示器３５８に該消費電力を表示する機能を実現する。
【００５２】
上記のようにネットワーク対応したワットメータ３５０を利用した情報システムの構成は、図７に示したものと同様であるため、説明を省略する。
【００５３】
図１１は、［適用例１］と同様に構成した情報システムにおいて、ワットメータ３５０が機能した結果として得られた消費電力量をクラウドへ送信し、クラウド上で得られた消費電力量を蓄積する動作の手順と処理内容を示すフローチャートである。
【００５４】
この動作は、プラグ部３５１を家庭用コンセントに、電子機器の電源プラグ３５２をコンセント部３５２にそれぞれ差し込んだ状態で電子機器を駆動している状態で、まず、電流検出部３５５が電流値を検出し（ステップＳＴ１０１）、電圧検出部３５６が電圧値を検出する（ステップＳＴ１０２）。次いで、これらの値から制御部３５７が消費電力量を算出し、算出値に応じた表示がなされるようにセグメント表示部３５８に表示信号を出力する（ステップＳＴ１０３）。ワットメータ３５０側では続いてセグメント表示部３５８が表示信号に従って、各セグメントをＯＮ／ＯＦＦして現在の消費電力量を表示する（ステップＳＴ１０４）。
【００５５】
一方、制御部３５７からセグメント異表示部３５８に対して発光される表示信号は通信システムＬＳＩ１００Ｂのサンプリング部１０２にも取得され（ステップＳＴ１０５）、サンプリング部１０２は取得した表示信号を解析して各セグメント液晶のＯＮ／ＯＦＦ状態の情報を得る（ステップＳＴ１０６）。
【００５６】
サンプリング部１０２が表示信号を解析する方法は、ワットメータ３５０の制御部３５７がセグメント表示部３５８に対して発行する信号の態様に応じて様々であるが、以下に一例を述べる。
【００５７】
セグメント表示部３５８に対して出力される表示信号の方式として、信号線をＣＯＭ信号とＳＥＧ信号とに分けて、ＣＯＭ信号によりＳＥＧ信号を解釈することにより各セグメント液晶のＯＮ／ＯＦＦを制御するものがある。このような方式ではＣＯＭ信号線数×ＳＥＧ信号線数だけのセグメント液晶についてＯＮ／ＯＦＦを制御することが可能である。このような方式の表示信号は、ＣＯＭ信号毎にＳＥＧ信号を解釈する処理をＣＯＭ信号の数だけ繰り返すことにより、各セグメント液晶のＯＮ／ＯＦＦ状態を知ることができる。
【００５８】
続いて、得られた各セグメント液晶のＯＮ／ＯＦＦ状態の情報を、自己のＩＤ（通信システムＬＳＩ１００Ｂのメイン制御１５６に含まれている）とともにクラウドへ送信する（ステップＳＴ１０７）。  
ステップＳＴ１０７において、通信システムＬＳＩ１００Ｂから送信された各セグメント液晶のＯＮ／ＯＦＦ状態の情報およびＩＤは、クラウドネットワーク上に構築されたデータ受付部３２２によって受信される（ステップＳＴ１０８）。データ受付部３２２によって受信されたデータは、二次解析部３２３に引き渡され、各セグメント液晶のＯＮ／ＯＦＦ状態の情報から消費電力量の数値が取得される（ステップＳＴ１０９）。
【００５９】
すなわち、二次解析部３２２は、各セグメント液晶のＯＮ／ＯＦＦ状態と当該ＯＮ／ＯＦＦ状態により表現されている数値との対応関係を内部的または外部的に認識可能に構成されており、これにより各セグメント液晶のＯＮ／ＯＦＦ状態の情報から消費電力量の数値が取得可能となっている。ステップＳＴ１０９で消費電力量の数値を取得すると、データストア部３２４に取得された消費電力量の数値を通信システムＬＳＩ１００ＢのＩＤとともに保存する（ステップＳＴ１１０）。
【００６０】
以上のような動作を繰り返すことにより、ワットメータ３５０の機能により計測された消費電力量をクラウドネットワーク３２１上のデータストア部３２５に蓄積される。さらに、クラウドネットワーク３２１上には、クラウドネットワーク３２１の外からデータストア部３２５の内容にアクセスするためのデータアクセス部３２４が設けられている。例えばスマートホン３１５からサービスサーバ３２６に対してワットメータ３５０に内蔵された通信システムＬＳＩ１００ＢのＩＤを指定することにより、サービスサーバ３２６はデータアクセス部３２４に対して当該ＩＤに係るワットメータ３５０の認識した消費電力量の履歴を要求し、当該履歴の情報を取得してスマートホン３１５の閲覧に供することができる。
【００６１】
上記適用例１に示したように、シリアル出力機能を有するバーコードリーダ２００Ａのシリアル出力部に代えてこの発明の通信システムＬＳＩ１００Ｃを適用することにより、バーコードリーダ２００Ａの制御プログラムに手を加えることなくネットワークに対応したバーコードリーダ２００Ｂを得ることができ、またバーコードリーダ２００Ｂを利用した情報システムを構築することが可能である。
【００６２】
また、上記適用例２に示されたように、セグメント表示部３５８で計測結果を表示するワットメータ３５０の制御部３５７がセグメント表示部３５８に出力した表示信号を、通信システムＬＳＩ１００Ｂのサンプリング部１０２で取得できるようにすることで、ワットメータ３５０の制御プログラムに手を加えることなくネットワークに対応させることができる。また、ネットワーク対応したワットメータ３５０を利用した情報システムを構築することが可能である。さらに、いずれの適用例においても、通信システムＬＳＩ１００Ｂおよび１００Ｃ以外のハードウェアを追加することなく、電子機器のネットワーク対応を実現可能である。
【００６３】
［その他の実施形態］
例えば、前記一実施形態では周辺回路を通信システムＬＳＩに内蔵した場合を示したが、周辺回路の一部または全部を通信システムＬＳＩの外部に設ける構成としても構わない。また、通信システムＬＳＩを適用する機器も上記に限られるものではなく、広く適用することが可能である。さらに、情報システム３００においてクラウドネットワーク３２１上にデータ受付部３２２、データ二次解析部３２３およびデータアクセス部３２４を設けることも必須ではなく、特定のサーバ上に各部を設ける構成としても構わない。
【００６４】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００６５】
１００Ａ，１００Ｂ，１００Ｃ…通信システムＬＳＩ、１０１…ＣＰＵ、１０２…サンプリング部、１０３…通信インタフェース部、１０４…周辺回路、１０５…メモリ、１１０…通信部、１１１…入力インタフェース部、１５０…プログラム、１５１…ＲＴＯＳ、１５２…インタフェースドライバ、１５３…モデム制御プログラム、１５４…プロトコルスタック、１５５…ネットワーククライアント、１５６…メイン制御プログラム、２００Ａ，２００Ｂ…バーコードリーダ、２０１…読取開口部、２０２…イメージセンサ、２０３…制御部、２０４…表示部、２０５…デコード部、２０６…操作部、２０７…シリアル出力インタフェース、２１０…バーコード、３００…閲覧システム、３１０…無線ネットワーク、３１１，３１２…基地局、３１３…ゲートウェイ、３１５…通信端末、３２０…インターネット、３２１…クラウドネットワーク、３２２…データ受付部、３２３…データ二次解析部、３２４…データアクセス部、３２５…データストア部、３２６…サービスサーバ、３５０…ワットメータ、３５１…プラグ部、３５２…コンセント部、３５３…電力供給経路、３５４…抵抗、３５５…電流検出部、３５６…電圧検出部、３５７…制御部、３５８…セグメント表示部。
【図１】
0005938232.tif 000002
【図２】
0005938232.tif 000003
【図３】
0005938232.tif 000004
【図４】
0005938232.tif 000005
【図５】
0005938232.tif 000006
【図６】
0005938232.tif 000007
【図７】
0005938232.tif 000008
【図８】
0005938232.tif 000009
【図９】
0005938232.tif 000010
【図１０】
0005938232.tif 000011
【図１１】
0005938232.tif 000012